【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
潜像担持体と、
該潜像担持体上の潜像を少なくともトナーを含有する現像剤で現像することによりトナー像化する現像装置と、
該潜像担持体上のトナー像を中間転写体上に一次転写する一次転写手段と、
該中間転写体上の一次転写トナー像を像保持体上に二次転写する二次転写手段とを有する画像形成装置において、
上記中間転写体が表面に弾性を有する弾性中間転写体であり、
該トナーが、少なくとも結着樹脂と着色剤とからなる母体粒子に添加剤を外添してなり、かつ、該添加剤として、疎水化処理されたシリカを用い、その比表面積が５０ｍ２／ｇ以上１８０ｍ２／ｇ以下、かつ、嵩密度が１００ｇ／ｌ以上２４０ｇ／ｌ以下であることを特徴とする画像形成装置。
【請求項２】
請求項１の画像形成装置において、
上記シリカの比表面積が、８０ｍ２／ｇ以上１４０ｍ２／ｇ以下であることを特徴とする画像形成装置。
【請求項３】
請求項１又は２の画像形成装置において、
上記シリカの嵩密度が１２０ｇ／ｌ以上２００ｇ／ｌ以下であることを特徴とする画像形成装置。
【請求項４】
請求項１〜３の何れか一の画像形成装置において、
上記潜像担持体を複数有し、該複数の潜像担持体上に形成されたトナー像を上記中間転写体上に一次転写して重ね合わせ画像を形成し、該中間転写体上の該重ね合わせ画像を上記像保持体上に二次転写することを特徴とする画像形成装置。
【請求項５】
請求項１〜４の何れ一の画像形成装置において、
上記中間転写体と上記潜像担持体とが対向する一次転写ニップ部において、一次転写バイアスを印加するバイアス印加部材により該中間転写体と該潜像担持体とが圧接されていることを特徴とする画像形成装置。
【請求項６】
潜像担持体上の潜像を現像装置によって少なくともトナーを含有する現像剤で現像することによりトナー像化し、該潜像担持体上のトナー像を一次転写手段によって中間転写体上に一次転写し、該中間転写体上の一次転写トナー像を二次転写手段によって像保持体上に二次転写することによって該像保持体上にトナー像を形成する画像形成方法において、
該中間転写体として、表面に弾性を有するものを用い、
該トナーとして、少なくとも結着樹脂と着色剤とからなる母体粒子に添加剤を外添してなり、かつ、該添加剤として、比表面積が５０ｍ２／ｇ以上１８０ｍ２／ｇ以下、かつ、嵩密度が１００ｇ／ｌ以上２４０ｇ／ｌ以下の疎水化処理されたシリカを用いることを特徴とする画像形成方法。
【請求項７】
請求項６の画像形成方法において、
上記シリカとして、比表面積が、８０ｍ２／ｇ以上１４０ｍ２／ｇ以下のものを用いたことを特徴とする画像形成方法。
【請求項８】
請求項６又は７の画像形成方法において、
上記シリカとして、嵩密度が１２０ｇ／ｌ以上２００ｇ／ｌ以下のものを用いたことを特徴とする画像形成方法。
【請求項９】
請求項６〜８の何れか一の画像形成方法において、
複数の潜像担持体上にトナー像を形成し、上記中間転写体上に一次転写して重ね合わせ画像を形成し、該中間転写体上の該重ね合わせ画像を上記像保持体上に二次転写することを特徴とする画像形成方法。
【請求項１０】
請求項６〜９の何れか一の画像形成方法において、
上記中間転写体と上記潜像担持体とが対向する一次転写ニップ部において、該中間転写体と該潜像担持体とを圧接させるような位置に一次転写バイアスを印加するためのバイアス印加部材を設けたことを特徴とする画像形成方法。
【請求項１１】
潜像担持体上に形成された潜像を現像するための現像剤であって、
該現像剤が、請求項１〜５の何れか一の画像形成装置、又は、請求項６〜１０の何れか一の画像形成方法に記載のトナーからなる一成分現像剤であることを特徴とする現像剤。
【請求項１２】
潜像担持体上に形成された潜像を現像するための現像剤であって、
該現像剤がトナーとキャリアとからなる二成分現像剤であり、
該トナーが、請求項１〜５の何れか一の画像形成装置、又は、請求項６〜１０の何れか一の画像形成方法に記載のトナーであることを特徴とする現像剤。
【請求項１３】
潜像担持体上に形成された潜像を現像するための現像剤を内部に収容している現像剤収容器であって、
該現像剤が、請求項１１又は１２の現像剤であることを特徴とする現像剤収容器。
【手続補正２】
【補正対象書類名】明細書
【補正対象項目名】００２０
【補正方法】削除
【補正の内容】
【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００２９
【補正方法】変更
【補正の内容】
【００２９】
請求項４の画像形成装置は、請求項１〜３の何れか一の画像形成装置において、上記潜像担持体を複数有し、該複数の潜像担持体上に形成されたトナー像を上記中間転写体上に一次転写して重ね合わせ画像を形成し、該中間転写体上の該重ね合わせ画像を上記像保持体上に二次転写することを特徴とするものである。
【手続補正１１】
【補正対象書類名】明細書
【補正対象項目名】００３０
【補正方法】変更
【補正の内容】
【００３０】
請求項４の画像形成装置においては、複数の潜像担持体上にそれぞれ画像を形成する所謂タンデム方式を採用し、それぞれの潜像担持体上に形成した画像を中間転写体上で重ね合わせることにより、カラー画像などの重ね合わせ画像を得る。
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】変更
【補正の内容】
【００３３】
請求項５の画像形成装置は、請求項１〜４の何れか一の画像形成装置において、上記中間転写体と上記潜像担持体とが対向する一次転写ニップ部において、一次転写バイアスを印加するバイアス印加部材により該中間転写体と該潜像担持体とが圧接されていることを特徴とするものである。
【手続補正１５】
【補正対象書類名】明細書
【補正対象項目名】００３４
【補正方法】変更
【補正の内容】
【００３４】
請求項５の画像形成装置においては、バイアス印加部材によって一次転写ニップ部に転写バイアスを直接印加し、間接印加方式に比して省スペース化を可能とする。
【手続補正１６】
【補正対象書類名】明細書
【補正対象項目名】００３５
【補正方法】変更
【補正の内容】
【００３５】
請求項６の画像形成方法は、潜像担持体上の潜像を現像装置によって少なくともトナーを含有する現像剤で現像することによりトナー像化し、該潜像担持体上のトナー像を一次転写手段によって中間転写体上に一次転写し、該中間転写体上の一次転写トナー像を二次転写手段によって像保持体上に二次転写することによって該像保持体上にトナー像を形成する画像形成方法において、該中間転写体として、表面に弾性を有するものを用い、該トナーとして、少なくとも結着樹脂と着色剤とからなる母体粒子に添加剤を外添してなり、かつ、該添加剤として、比表面積が５０ｍ２／ｇ以上１８０ｍ２／ｇ以下、かつ、嵩密度が１００ｇ／ｌ以上２４０ｇ／ｌ以下の疎水化処理されたシリカを用いることを特徴とするものである。
【手続補正１７】
【補正対象書類名】明細書
【補正対象項目名】００３６
【補正方法】変更
【補正の内容】
【００３６】
請求項６の画像形成方法においては、シリカの比表面積が５０ｍ２／ｇ以上１８０ｍ２／ｇ以下であることにより、トナーの流動性を損なわないようにして、上記不具合の発生を回避する。更にこの時のシリカの嵩密度が１００ｇ／ｌ以上２４０ｇ／ｌ以下であることにより、トナーの流動性が十分に得られると共に、トナーと混合させた時の分散性にも優れ、この時遊離したシリカの発生も少ない。
また、中間転写体として表面に弾性を有するものを用い、一次転写ニップ部及び二次転写ニップ部における局所的な圧力増加を防止する。
【手続補正１８】
【補正対象書類名】明細書
【補正対象項目名】００３７
【補正方法】変更
【補正の内容】
【００３７】
請求項７の画像形成方法は、請求項１３の画像形成方法において、上記シリカとして、比表面積が、８０ｍ２／ｇ以上１４０ｍ２／ｇ以下のものを用いたことを特徴とするものである。
【手続補正１９】
【補正対象書類名】明細書
【補正対象項目名】００３８
【補正方法】変更
【補正の内容】
【００３８】
請求項７の画像形成方法においては、シリカの比表面積の範囲を更に狭く限定し、転写中抜け及びフィルミングの防止により効果を発揮させる。
【手続補正２０】
【補正対象書類名】明細書
【補正対象項目名】００３９
【補正方法】変更
【補正の内容】
【００３９】
請求項８の画像形成方法は、請求項１３又は１４の画像形成方法において、上記シリカとして、嵩密度が１２０ｇ／ｌ以上２００ｇ／ｌ以下のものを用いたことを特徴とするものである。
【手続補正２１】
【補正対象書類名】明細書
【補正対象項目名】００４０
【補正方法】変更
【補正の内容】
【００４０】
請求項８の画像形成方法においては、シリカの嵩密度の範囲を更に狭く限定し、転写中抜け及びフィルミングの防止により効果を発揮させる。
【手続補正２２】
【補正対象書類名】明細書
【補正対象項目名】００４１
【補正方法】削除
【補正の内容】
【手続補正２３】
【補正対象書類名】明細書
【補正対象項目名】００４２
【補正方法】削除
【補正の内容】
【手続補正２４】
【補正対象書類名】明細書
【補正対象項目名】００４３
【補正方法】削除
【補正の内容】
【手続補正２５】
【補正対象書類名】明細書
【補正対象項目名】００４４
【補正方法】削除
【補正の内容】
【手続補正２６】
【補正対象書類名】明細書
【補正対象項目名】００４５
【補正方法】削除
【補正の内容】
【手続補正２７】
【補正対象書類名】明細書
【補正対象項目名】００４６
【補正方法】削除
【補正の内容】
【手続補正２８】
【補正対象書類名】明細書
【補正対象項目名】００４７
【補正方法】削除
【補正の内容】
【手続補正２９】
【補正対象書類名】明細書
【補正対象項目名】００４８
【補正方法】削除
【補正の内容】
【手続補正３０】
【補正対象書類名】明細書
【補正対象項目名】００４９
【補正方法】変更
【補正の内容】
【００４９】
請求項９の画像形成方法は、請求項６〜８の何れか一の画像形成方法において、複数の潜像担持体上にトナー像を形成し、上記中間転写体上に一次転写して重ね合わせ画像を形成し、該中間転写体上の該重ね合わせ画像を上記像保持体上に二次転写することを特徴とするものである。
【手続補正３１】
【補正対象書類名】明細書
【補正対象項目名】００５０
【補正方法】変更
【補正の内容】
【００５０】
請求項９の画像形成方法においては、複数の潜像担持体上に形成した画像を重ね合わせてカラー画像など重ね合わせ画像を形成する。
【手続補正３２】
【補正対象書類名】明細書
【補正対象項目名】００５１
【補正方法】削除
【補正の内容】
【手続補正３３】
【補正対象書類名】明細書
【補正対象項目名】００５２
【補正方法】削除
【補正の内容】
【手続補正３４】
【補正対象書類名】明細書
【補正対象項目名】００５３
【補正方法】変更
【補正の内容】
【００５３】
請求項１０の画像形成方法は、請求項６〜９の何れか一の画像形成方法において、上記中間転写体と上記潜像担持体とが対向する一次転写ニップ部において、該中間転写体と該潜像担持体とを圧接させるような位置に一次転写バイアスを印加するためのバイアス印加部材を設けたことを特徴とするものである。
【手続補正３５】
【補正対象書類名】明細書
【補正対象項目名】００５４
【補正方法】変更
【補正の内容】
【００５４】
請求項１０の画像形成方法においては、バイアス印加部材によって一次転写ニップ部に転写バイアスを直接印加し、間接印加方式に比して省スペース化を可能とする。
【手続補正３６】
【補正対象書類名】明細書
【補正対象項目名】００５５
【補正方法】変更
【補正の内容】
【００５５】
請求項１１の現像剤は、潜像担持体上に形成された潜像を現像するための現像剤であって、該現像剤が、請求項１〜５の何れか一の画像形成装置、又は、請求項６〜１０の何れか一の画像形成方法に記載のトナーからなる一成分現像剤であることを特徴とするものである。
【手続補正３７】
【補正対象書類名】明細書
【補正対象項目名】００５６
【補正方法】変更
【補正の内容】
【００５６】
請求項１１の現像剤においては、母体粒子に外添するシリカの比表面積が５０ｍ２/ｇ以上１８０ｍ２/ｇ以下であることにより、トナーの流動性を損なわないようにして、上記不具合の発生を回避する。更にこの時のシリカの嵩密度が１００ｇ／ｌ以上２４０ｇ／ｌ以下であることにより、トナーの流動性が十分に得られると共に、トナーと混合させた時の分散性にも優れ、この時遊離したシリカの発生も少ない。
【手続補正３８】
【補正対象書類名】明細書
【補正対象項目名】００５７
【補正方法】変更
【補正の内容】
【００５７】
請求項１２の現像剤は、潜像担持体上に形成された潜像を現像するための現像剤であって、該現像剤がトナーとキャリアとからなる二成分現像剤であり、該トナーが、請求項１〜５の何れか一の画像形成装置、又は、請求項６〜１０の何れか一の画像形成方法に記載のトナーであることを特徴とするものである。
【手続補正３９】
【補正対象書類名】明細書
【補正対象項目名】００５８
【補正方法】変更
【補正の内容】
【００５８】
請求項１２の現像剤においては、キャリア表面を汚染しやすい遊離したシリカの発生を抑え、キャリア自身の帯電付与能力の低下を防止する。
【手続補正４０】
【補正対象書類名】明細書
【補正対象項目名】００５９
【補正方法】変更
【補正の内容】
【００５９】
請求項１３の現像剤収容器は、潜像担持体上に形成された潜像を現像するための現像剤を内部に収容している現像剤収容器であって、該現像剤が、請求項１１又は１２の現像剤であることを特徴とするものである。
【手続補正４１】
【補正対象書類名】明細書
【補正対象項目名】００６０
【補正方法】変更
【補正の内容】
【００６０】
請求項１乃至５の画像形成装置、及び、請求項６乃至１０の画像形成方法によれば、一次転写ニップ部及び二次転写ニップ部において、トナーが潜像担持体或いは中間転写体に予期せず付着することを防止することができ、虫喰いやフィルミングを防止することができるという優れた効果がある。また、トナーの耐久性を維持できるという優れた効果もある。
【手続補正４２】
【補正対象書類名】明細書
【補正対象項目名】００６１
【補正方法】変更
【補正の内容】
【００６１】
特に、請求項２の画像形成装置及び請求項７の画像形成方法によれば、転写中抜け及びフィルミングをより効果的に防止できるという優れた効果がある。
【手続補正４３】
【補正対象書類名】明細書
【補正対象項目名】００６２
【補正方法】変更
【補正の内容】
【００６２】
特に、請求項３の画像形成装置及び請求項８の画像形成方法によれば、転写中抜け及びフィルミングをより効果的に防止できるという優れた効果がある。
【手続補正４４】
【補正対象書類名】明細書
【補正対象項目名】００６３
【補正方法】削除
【補正の内容】
【手続補正４５】
【補正対象書類名】明細書
【補正対象項目名】００６４
【補正方法】削除
【補正の内容】
【手続補正４６】
【補正対象書類名】明細書
【補正対象項目名】００６５
【補正方法】削除
【補正の内容】
【手続補正４７】
【補正対象書類名】明細書
【補正対象項目名】００６６
【補正方法】変更
【補正の内容】
【００６６】
特に、請求項４の画像形成装置及び請求項９の画像形成方法によれば、重ね合わせ画像を効率よく形成することができるという優れた効果がある。
【手続補正４８】
【補正対象書類名】明細書
【補正対象項目名】００６７
【補正方法】変更
【補正の内容】
【００６７】
請求項５の画像形成装置及び請求項１０の画像形成方法によれば、一次転写部において、省スペース化が可能となるという優れた効果がある。
【手続補正４９】
【補正対象書類名】明細書
【補正対象項目名】００６８
【補正方法】変更
【補正の内容】
【００６８】
請求項１１及び１２の現像剤によれば、一成分現像剤又は二成分現像剤で十分な流動性と母体粒子に対する良好な分散性とを兼ね備え、母体粒子から遊離したシリカの発生も少なくすることができるという優れた効果がある。
【手続補正５０】
【補正対象書類名】明細書
【補正対象項目名】００６９
【補正方法】変更
【補正の内容】
【００６９】
特に、請求項１２の現像剤によれば、キャリア自身の帯電付与能力の低下を防止できるので、現像剤の帯電不良による地汚れや現像性の低下を防止することができるという優れた効果がある。
【手続補正５１】
【補正対象書類名】明細書
【補正対象項目名】００７０
【補正方法】変更
【補正の内容】
【００７０】
請求項１３の現像剤収容器によれば、十分な流動性と母体粒子に対する良好な分散性とを兼ね備え、母体粒子から遊離したシリカの発生も少なくすることができる現像剤を収容して、その現像剤を利用することができるという優れた効果がある。